(57)【特許請求の範囲】
【請求項１】
腹側部分、背側部分、およびこれらの間に位置する股下部分を有する外装シートと、吸収体を含む吸収性本体とを備え、前記外装シートの内面側における少なくとも前記股下部から腹側部分にわたる範囲に前記吸収性本体が固定された、パンツ型吸収性物品において、
前記外装シートにおける前記吸収性本体の少なくとも一部と重なる部分に、内外に連通する前開き部を有するとともに、
前記吸収体本体は、前記前開き部の少なくとも一部と重なる部分から周縁の一部までにわたる部分全体が前記外装シートに対して固定されておらず、前記外装シートに対して移動するように構成されており、
前記吸収性本体における前記外装シートに対して固定されていない非固定部分と、前記外装シートとが弾性部材を介して連結されており、前記吸収性本体の非固定部分が前記外装シートに対して移動されると前記弾性部材が伸張し、その弾性部材の収縮力が前記吸収性本体の非固定部分を元の位置に戻す方向に作用するように構成されている、
ことを特徴とするパンツ型吸収性物品。
【請求項２】
前記吸収性本体における前記外装シートに対して固定されていない非固定部分と、前記外装シートとが着脱自在に連結されている、請求項１記載のパンツ型吸収性物品。
【請求項３】
腹側部分、背側部分、およびこれらの間に位置する股下部分を有する外装シートと、吸収体を含む吸収性本体とを備え、前記外装シートの内面側における少なくとも前記股下部から腹側部分にわたる範囲に前記吸収性本体が固定された、パンツ型吸収性物品において、
前記外装シートにおける前記吸収性本体の少なくとも一部と重なる部分に、内外に連通する前開き部を有するとともに、
前記吸収性本体は、透液性包装シートで包まれた吸収体からなる吸収部が、不透液性バックシートと透液性トップシートとの間に介在されてなるとともに、前記吸収部及び透液性トップシートを表裏方向に貫通する貫通部を有するものであり、
前記不透液性バックシートは、前記前開き部の少なくとも一部と重なる部分から周縁の一部までにわたる部分全体が前記外装シートに対して固定されておらず、且つ、前記貫通部の少なくとも一部と重なる部分から周縁の一部までにわたる部分全体が前記吸収部及び透液性トップシートに対して固定されておらず、前記外装シート、吸収部及び透液性トップシートに対して移動するように構成されており、
前記不透液性バックシートにおける前記外装シート、吸収部及び透液性トップシートに対して固定されていない非固定部分と、前記外装シート、吸収部及び透液性トップシートの少なくとも一つとが弾性部材を介して連結されており、前記不透液性バックシートの非固定部分が前記外装シート、吸収部及び透液性トップシートに対して移動されると前記弾性部材が伸張し、その弾性部材の収縮力が前記不透液性バックシートの非固定部分を元の位置に戻す方向に作用するように構成されている、
ことを特徴とするパンツ型吸収性物品。
【請求項４】
前記不透液性バックシートにおける前記外装シート、吸収部及び透液性トップシートに対して固定されていない非固定部分と、前記外装シート、吸収部及び透液性トップシートの少なくとも一つとが着脱自在に連結されている、請求項３記載のパンツ型吸収性物品。
【発明の詳細な説明】
【技術分野】
【０００１】
本発明は、特に男性の軽失禁用に適したパンツ型吸収性物品に関するものである。
【背景技術】
【０００２】
近時、男性の軽失禁用に適するものとして、非特許文献１に示されるように、外装シートにおける吸収体の前端部よりも前側に幅方向に沿うスリット状の前開きを有するパンツ型吸収性物品が提案されている。
しかしながら、この従来のパンツ型吸収性物品では、前開きの位置が高すぎ、陰茎を取り出すのが困難であるという問題点があった。この問題点は、吸収体の前端部の位置を股間側に寄せることで解決できるが、その場合、腹側における吸収量を十分に確保できなくなるため好ましくない。
【非特許文献１】ユニ・チャーム株式会社ウェブサイト、商品情報「ライフリー スリムウェア男性用」［２００７年９月１３日検索］、URL：http://www.unicharm.co.jp/slimwear/products/men/
【発明の開示】
【発明が解決しようとする課題】
【０００３】
そこで本発明の主たる課題は、吸収性能等の本来の機能を損ねることなく、陰茎の取り出し易さを向上できる技術を提供することにある。
【課題を解決するための手段】
【０００４】
上記課題を解決した本発明は次記の通りである。
＜請求項１記載の発明＞
腹側部分、背側部分、およびこれらの間に位置する股下部分を有する外装シートと、吸収体を含む吸収性本体とを備え、前記外装シートの内面側における少なくとも前記股下部から腹側部分にわたる範囲に前記吸収性本体が固定された、パンツ型吸収性物品において、
前記外装シートにおける前記吸収性本体の少なくとも一部と重なる部分に、内外に連通する前開き部を有するとともに、
前記吸収体本体は、前記前開き部の少なくとも一部と重なる部分から周縁の一部までにわたる部分全体が前記外装シートに対して固定されておらず、前記外装シートに対して移動するように構成されており、
前記吸収性本体における前記外装シートに対して固定されていない非固定部分と、前記外装シートとが弾性部材を介して連結されており、前記吸収性本体の非固定部分が前記外装シートに対して移動されると前記弾性部材が伸張し、その弾性部材の収縮力が前記吸収性本体の非固定部分を元の位置に戻す方向に作用するように構成されている、
ことを特徴とするパンツ型吸収性物品。
【０００５】
（作用効果）
この発明（以下、第１の発明ともいう）では、吸収性本体における外装シートに対する非固定部分を移動させることができるため、吸収性本体を前開き部の横や下に退けることにより、陰茎を吸収性本体の横や上を通して前開き部に通すことができる。よって、吸収体の位置に関係なく、陰茎に近い適切な位置に前開き部を設けることができ、陰茎の取り出しを容易にすることができる。また、前開き部を外装シートにおける吸収体と重なる部分に設けることができるため、吸収性能を損ねることもない。
【０００６】
【０００７】
ただし、陰茎の取り出しに際して吸収性本体の移動を伴うため、吸収性本体を元の位置に戻しておかないと尿吸収時に横漏れや前漏れを起すおそれがある。よって、弾性部材を用いて吸収性本体が移動後に元の位置に戻り易くなるように構成するのは好ましい。
【０００８】
＜請求項２記載の発明＞
前記吸収性本体における前記外装シートに対して固定されていない非固定部分と、前記外装シートとが着脱自在に連結されている、請求項１記載のパンツ型吸収性物品。
【０００９】
（作用効果）
上記第１の発明は、吸収性本体が移動可能であるため、吸収性本体が不用意に移動すると尿吸収時に横漏れや前漏れを起すおそれがある。よって、本項記載のように構成するのは好ましい。
【００１０】
＜請求項３記載の発明＞
腹側部分、背側部分、およびこれらの間に位置する股下部分を有する外装シートと、吸収体を含む吸収性本体とを備え、前記外装シートの内面側における少なくとも前記股下部から腹側部分にわたる範囲に前記吸収性本体が固定された、パンツ型吸収性物品において、
前記外装シートにおける前記吸収性本体の少なくとも一部と重なる部分に、内外に連通する前開き部を有するとともに、
前記吸収性本体は、透液性包装シートで包まれた吸収体からなる吸収部が、不透液性バックシートと透液性トップシートとの間に介在されてなるとともに、前記吸収部及び透液性トップシートを表裏方向に貫通する貫通部を有するものであり、
前記不透液性バックシートは、前記前開き部の少なくとも一部と重なる部分から周縁の一部までにわたる部分全体が前記外装シートに対して固定されておらず、且つ、前記貫通部の少なくとも一部と重なる部分から周縁の一部までにわたる部分全体が前記吸収部及び透液性トップシートに対して固定されておらず、前記外装シート、吸収部及び透液性トップシートに対して移動するように構成されており、
前記不透液性バックシートにおける前記外装シート、吸収部及び透液性トップシートに対して固定されていない非固定部分と、前記外装シート、吸収部及び透液性トップシートの少なくとも一つとが弾性部材を介して連結されており、前記不透液性バックシートの非固定部分が前記外装シート、吸収部及び透液性トップシートに対して移動されると前記弾性部材が伸張し、その弾性部材の収縮力が前記不透液性バックシートの非固定部分を元の位置に戻す方向に作用するように構成されている、
ことを特徴とするパンツ型吸収性物品。
【００１１】
（作用効果）
第１の発明は、陰茎の出し入れ時に吸収体を含む所定部分を移動させるものであるが、この場合、陰茎の出し入れを繰り返すと吸収体がよれたり、われたりするおそれがある。これに対して第２の発明（本項記載の発明）では、吸収性本体の裏面を形成する不透液性バックシートよりも表面側の部分に陰茎挿通用の貫通部を設けるとともに、不透液性バックシートの所定部分をその裏面側の外装シート及び表面側の吸収部に対して固定せずに移動可能とすることにより、吸収体を移動させずに陰茎の出し入れを可能ならしめるものである。すなわち、第２の発明では、不透液性バックシートにおける外装シート及び吸収部に対する非固定部分を移動させることができるため、不透液性バックシートを前開き部及び貫通部の横や下に退けることにより、陰茎を、吸収体を避けることなく吸収部の貫通部を通して前開き部に通すことができる。よって、吸収体の位置に関係なく、陰茎に近い適切な位置に前開き部を設けることができ、陰茎の取り出しを容易にすることができる。また、前開き部を外装シートにおける吸収体と重なる部分に設けることができるため、吸収性能を損ねることもない。さらに、吸収部に陰茎用の貫通部を設けたとしても、吸収部の裏面全体は不透液性バックシートにより覆われるため、漏れのおそれもない。
【００１２】
【００１３】
ただし、陰茎の取り出しに際して不透液性バックシートの移動を伴うため、不透液性バックシートが元の位置に戻っていないと尿吸収時に漏れが発生するおそれがある。よって、弾性部材を用いて不透液性バックシートが移動後に元の位置に戻り易くなるように構成するのは好ましい。
【００１４】
＜請求項４記載の発明＞
前記不透液性バックシートにおける前記外装シート、吸収部及び透液性トップシートに対して固定されていない非固定部分と、前記外装シート、吸収部及び透液性トップシートの少なくとも一つとが着脱自在に連結されている、請求項３記載のパンツ型吸収性物品。
【００１５】
（作用効果）
上記第２の発明は、不透液性バックシートが移動可能であるため、不透液性バックシートが不用意に移動すると尿吸収時に横漏れや前漏れを起すおそれがある。よって、本項記載のように構成するのは好ましい。
【発明の効果】
【００１６】
以上のとおり、本発明によれば、吸収性能等の本来の機能を損ねることなく、陰茎の取り出し易さを向上できるようになる、等の利点がもたらされる。
【発明を実施するための最良の形態】
【００１７】
以下、本発明の一実施形態について、先ず共通的構成について説明し、次に各種形態の特徴について説明する。
図１は実施形態のパンツ型吸収性物品１の製品状態外観図であり、図２は展開状態での組み立て図である。このパンツ型吸収性物品１（以下、単に物品ともいう。）は、不織布などからなる透液性表面シート１１と、ポリエチレン等からなる不透液性バックシート１２との間に、綿状パルプなどの吸収体１３を介在させた吸収性本体１０と、この吸収性本体１０の外面側に対して一体的設けられた外装シート２０とからなるものである。製造に際しては、外装シート２０の上面側（内面側）に対して吸収性本体１０の裏面がホットメルト接着剤Ｇなどによって一体化された後に、吸収性本体１０および外装シート２０が前後方向に折り重ねられ、その両側部が相互に熱溶着またはホットメルト接着剤などによって接合されることによって、ウエスト開口部及び左右一対のレッグ開口部が形成されたパンツ型吸収性物品となる。
【００１８】
以下、吸収性本体１０、外装シート２０の順に説明する。
（吸収性本体の基本構造）
吸収性本体１０は、図５及び図７に示すように、不織布などからなる透液性表面シート１１と、ポリエチレン等からなる不透液性バックシート１２との間に、綿状パルプなどの吸収体１３を介在させた構造とされ、体液を吸収保持するものである。
【００１９】
吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。透液性表面シート１１は、吸収体１３の側縁部を巻き込んで吸収体１３の裏面側まで延在している。
【００２０】
吸収体１３の裏面側（非肌当接面側）を覆う不透液性バックシート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００２１】
吸収体１３は、フラッフ状パルプと吸水ポリマーとを成形してなるものが好適に用いられる。吸水性ポリマーは吸収体を構成するパルプ中に例えば粒状粉として混入することができる。パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用できる。もちろんこれ以外の公知の吸収体も採用することができる。また、吸収体１３は、形状及びポリマー保持等のため、必要に応じてクレープ紙等の透液性包装シート１４によって包装されている。吸収体１３の形状は、図示形態のように背側及び腹側に対して股間部の幅が狭い形状としたり、矩形形状としたりすることができる。
【００２２】
一方、吸収性本体１０の両側部には脚周りにフィットする立体ギャザーＢＳが形成されているのが好ましい。この立体ギャザーＢＳはギャザー不織布１５により形成される、ギャザー不織布としては、図６に示されるように、折返しによって二重シートとした不織布が好適に用いられ、透液性表面シート１１によって巻き込まれた吸収体１３の側縁部をさらにその上側から巻き込んで吸収体１３の裏面側まで延在して接着されている。より具体的には、ギャザー不織布１５は、吸収性物品１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００２３】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図７に二点鎖線で示すように、弾性伸縮力により吸収体側縁部より突出する不織布部分を起立させて立体ギャザーＢＳを形成するためのものである。
【００２４】
不透液性バックシート１２は、二重シート状のギャザー不織布１５の内部まで進入し、図６に示されるように、立体ギャザーＢＳの下端側において防漏壁を構成するようになっている。かかる不透液性バックシート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２５】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００２６】
前述のギャザー不織布１５を構成する素材繊維も透液性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２７】
（外装シートの構造）
外装シート２０は、図２及び図３に示されるように、上層不織布２０Ａ及び下層不織布２０Ｂからなる２層構造の不織布シートとされ、上層不織布２０Ａと下層不織布２０Ｂとの間に各種弾性部材が配設され、伸縮性が付与されている。平面形状は、中間両側部に夫々脚部開口を形成するために形成された凹状の脚回りカットライン２９により、全体として擬似砂時計形状をなしている。
【００２８】
特に、図示形態の外装シート２０においては、弾性部材として、図３に示される展開形状において、ウエスト開口部回り２３に配置されたウエスト部弾性部材２４，２４…と、腹側部分Ｆ及び背側部分Ｂに、上下方向に間隔をおいて水平方向に沿って配置された複数の腰回り弾性部材群２５，２５…とを有するとともに、腹側部分Ｆ及び背側部分Ｂのそれぞれにおいて、腰回り弾性部材群２５，２５…とは別に、腹側部分Ｆと背側部分Ｂとを接合する一方側接合縁から股下側に延び、股下側を迂回して腹側部分と背側部分との他方側接合縁に到達するとともに、互いに交差することなく間隔をおいて配置された複数本の湾曲弾性部材群２６…、２８…を備えている。なお、本外装シート２０では、脚回りカットライン２９に沿って実質的に連続する、所謂脚回り弾性部材は設けられていない。
【００２９】
ウエスト部弾性部材２４，２４…は、腹側部分Ｆと背側部分Ｂとが接合された脇部接合縁２１、２２の範囲の内、ウエスト開口縁近傍に上下方向に間隔をおいて配設された複数条の糸ゴム状弾性部材であり、身体のウエスト部回りを締め付けるように伸縮力を与えることにより吸収性物品を身体に装着するためのものである。このウエスト部弾性部材２４は、図示例では糸ゴムを用いたが、例えばテープ状の伸縮部材を用いてもよい。
【００３０】
腰回り弾性部材群２５，２５…は、脇部接合縁２１、２２の内、概ね上部から下部までの範囲に亘り、上下方向に間隔をおいて水平方向に沿って配設された糸ゴム状の弾性部材であり、腹側部分Ｆ及び背側部分Ｂの腰回り部分に夫々水平方向の伸縮力を与え、吸収性物品を身体に密着させるためのものである。なお、ウエスト部弾性部材２４、２４…と腰回り弾性部材群２５、２５…との境界は必ずしも明確でなくてよい。例えば、腹側部分Ｆ及び背側部分Ｂに上下方向に間隔をおいて水平方向に配置された弾性部材の内、数は特定できなくても、上部側の何本かがウエスト部弾性部材として機能し、残りの弾性部材が腰回り弾性部材として機能していればよい。
【００３１】
背側部分Ｂにおいて、腰回り弾性部材群２５，２５…とは別に配設された背側湾曲弾性部材群２６、２６…は、所定の（一方側の脇部接合縁２２からほぼ脚回りカットライン２９に沿って股下部に至り、股下部を横切った後に反対側の脚回りカットライン２９にほぼ沿いながら他方側の脇部接合縁２２に到達する）曲線に沿って配置された複数本、図示例では９本の糸ゴム状弾性部材であり、これら背側湾曲弾性部材群２６、２６…は互いに交差することなく、間隔をおいて配置されている。この背側湾曲弾性部材群２６、２６…は、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００３２】
外装シート２０の腹側部分Ｆにおいて、腰回り弾性部材群２５，２５…とは別に配設された腹側湾曲弾性部材群２８，２８…も、所定の（一方側の脇部接合縁２１から股下側に至り、股下部を横切った後に他方側の脇部接合縁２１に到達する）曲線とともに、交差することなく間隔をおいて配置された複数本の、図示例では９本の糸状弾性部材であり、これら腹側湾曲弾性部材群２８，２８…は、互いに交差することなく、間隔をおいて配置されている。この腹側湾曲弾性部材群２８、２８…も、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００３３】
また、上記形態例では、腹側部分Ｆ及び背側部分Ｂに配置された腰回り弾性部材群２５，２５…及び湾曲弾性部材２６…、２８…は、吸収性本体１０を横切る部分を切断し、不連続としているが、吸収性本体１０上においても連続させて配置することもできる。弾性部材を吸収性本体上で不連続とすることにより、吸収体１３の縮こまりをより防止することができる。
【００３４】
上述した外装シート２０は、例えば特開平４−２８３６３号公報や、特開平１１−３３２９１３号公報記載の技術により製造することができる。また、湾曲弾性部材２６…、２８…を吸収性本体１０上で切断し不連続化するには、特開２００２−３５０２９号公報、特開２００２−１７８４２８号公報及び特開２００２−２７３８０８号公報に記載される切断方法が好適に採用される。
【００３５】
他方、外装シート２０は、ウエスト開口縁においては、外装シート２０が外面側から内面側に折り返されて二重に形成された部分６０に挟まれて固定された固定部５１と、吸収性本体１０の前端部に被さる位置まで延在され、固定部５１に対して移動可能とされた非固定部５２とを有する前後漏れ防止シート５０を備えることが可能である（図８参照）。
【００３６】
（第１の形態）
特徴的には、図５〜８にも示されるように、外装シート２０における吸収体１３の少なくとも一部と重なる部分に、内外に連通する前開き部２０ｐが形成されるとともに、吸収体本体１０は、前開き部２０ｐの少なくとも一部と重なる部分から周縁の一部までにわたる部分全体が外装シート２０に対して固定されておらず、外装シート２０に対して移動するように構成されている。接着剤による固定部分は符号Ｇを付した×印で示されている。他の×印部分も接着剤による固定部分である。
【００３７】
前開き部２０ｐは、外装シーと２０の内側から外側へ陰茎を取り出しうる限り、その形態は特に限定されず、ある程度の開口面積を有する開口部としたり、下着と同様の公知の前開き構造としたりすることも可能である。ただし、トリムが発生せず、製造が容易であることから、図示のようなスリット状のものが好ましく、特にミシン目により形成されるスリットが好適である。スリット状の前開き部は、スリットの長手方向が物品の前後方向に沿うように形成されているのが好ましいが、幅方向に沿うように形成することもできる。
【００３８】
前開き部２０ｐの位置・寸法は適宜定めることができるが、腹側Ｆの下側における幅方向中央部に位置しているのが好ましく、寸法はスリット状の前開き部２０ｐの場合で長さＬ１が５０〜１００ｍｍ程度であると好ましい。より具体的には、前開き部２０ｐは、吸収体１３の腹側上端（前端）を基準として、前後方向後側（股間側）に５０ｍｍの位置から前後方向前側（ウエスト開口部側）に２０ｍｍの位置までの範囲内に設けるのが好ましい。スリットの形状は、図示形態のような直線状の他、三角波状、矩形波状、サイン波状、円弧状等適宜定めることができる。
【００３９】
吸収性本体１０の非固定部１０ｎの位置・寸法は、前開き部２０ｐの位置・形状や、吸収性本体１０の移動範囲を考慮して適宜定めることができる。図示形態のように、腹側Ｆの下側における幅方向中央部に上下方向に沿うスリット状の前開き部２０ｐを有している場合、非固定部１０ｎは、上下方向においては前開き部２０ｐの下端以下の部位から吸収性本体１０の上縁まで、幅方向においては吸収性本体１０の両端部近傍まで延在しているのが好ましい。この場合、陰茎の取り出し時には吸収性本体１０を下げずらすことになる。より具体的には、非固定部１０ｎの前後方向長さは前開き部２０ｐの前後方向長さより長いのが好ましく、非固定部１０ｎの幅方向長さは１０ｍｍ以上であるのが好ましい。
【００４０】
また、非固定部１０ｎを、上下方向においては前開き部２０ｐの上端又はその近傍から下端又はその近傍まで、幅方向においては前開き部２０ｐから吸収性本体１０の一方側の側縁まで延在させる形態も好ましい（図示略）。この場合には、陰茎の取り出し時には吸収性本体１０を横にずらすことになる。
【００４１】
かくして構成された物品では、図１に二点鎖線で示すように、吸収性本体１０の非固定部分１０ｎを移動させることができるため、前開き部２０ｐを開いて、吸収性本体１０を前開き部２０ｐの下側あるいは横側に退けることにより、陰茎を吸収性本体１０の横や上を通して前開き部２０ｐに通すことができる。よって、吸収体１３の位置に関係なく、陰茎に近い適切な位置に前開き部２０ｐを設けることができ、陰茎の取り出しを容易にすることができる。また、前開き部２０ｐを外装シート２０における吸収体１３と重なる部分に設けることができるため、吸収性能を損ねることもない。
【００４２】
（第２の形態）
上記第１の形態は、陰茎の出し入れ時に吸収体５３を含む所定部分を移動させるものであるが、この場合、陰茎の出し入れを繰り返すと吸収体５３がよれたり、われたりするおそれがある。第２の形態はこれを防止しようとするものである。
【００４３】
すなわち、図９〜図１２に示すように、第２の形態においては、吸収性本体１０が、透液性包装シート１４で包まれた吸収体１３からなる吸収部、及び透液性トップシート１１を表裏方向に貫通する貫通部１７を有するとともに、不透液性バックシート１２は、前開き部２０ｐの少なくとも一部と重なる部分から周縁の一部までにわたる部分全体が外装シート２０に対して固定されておらず、且つ、貫通部１７の少なくとも一部と重なる部分から周縁の一部までにわたる部分全体が吸収部１３，１４及び透液性トップシート１１に対して固定されておらず、外装シート２０、吸収部１３，１４及び透液性トップシート１５に対して移動するように構成されている。その他は第１の形態と同様である。
【００４４】
第２の形態における前開き部２０ｐは、物品の前後方向中央から前後方向前側（ウエスト開口部側）に２５０ｍｍまでの範囲内に設けるのが好ましい。吸収部１３，１４における貫通部１７は、吸収部１３，１４の内側から外側へ陰茎を取り出しうる限り、その形態、位置及び寸法は特に限定されないが、前開き部２０ｐと同様の形態、位置及び寸法を有するのが好ましい。貫通部１７は吸収体１３を貫通するため、吸収体１３がパルプ等の短繊維や吸水ポリマー粒子を含有する場合は、これらが貫通部１７から毀れ出ないようにする必要がある。このための具体的な方法としては、図１０に示すように、透液性包装シート１４により包装した吸収体１３を複数並設し（図示例では幅方向両側に各一つ設けている）、透液性トップシート１１のうち複数の吸収体１３間の部分と重なる部分にスリットを切断形成し、透液性トップシート１１のスリットと複数の吸収体１３間の部分とにより貫通部１７を構成する方法や、図１３に示すように、透液性包装シート１４により包装した吸収体１３における所定部位に、透液性包装シート１４の外側からエンボス加工等を施し、表裏の透液性包装シート１４を溶着等により接合した後に、この接合部分１４Ｂ内にスリット状の貫通部１７を切断形成する方法が提案される。後者の場合、必要に応じて吸収体１３の製造時に、吸収体１３の所定部位に溝状の薄肉部又は貫通部を形成しておくことができる。
【００４５】
吸収部１３，１４及び透液性トップシート１１、並びに外装シート２０に対する不透液性バックシート１２の非固定部１２ｍ、１２ｎの位置・寸法は、前開き部２０ｐ及び貫通部１７の位置・形状や、不透液性バックシート１２の移動範囲を考慮して適宜定めることができるが、吸収部１３，１４及び透液性トップシート１１に対する非固定部１２ｍと、外装シート２０に対する非固定部１２ｎとは、同じか又は近い位置・寸法を有しているのが好ましい。図示形態のように、腹側Ｆの下側における幅方向中央部に上下方向に沿うスリット状の前開き部２０ｐを有している場合、両非固定部１２ｍ，１２ｎは、上下方向においては前開き部２０ｐの上端又はその近傍から下端又はその近傍まで、幅方向においては前開き部２０ｐから一方側に向かって、不透液性バックシート１２及びこれに一体化された立体ギャザーＢＳの側縁まで延在させるのが好ましい。特に、両非固定部１２ｍ，１２ｎの前後方向長さは前開き部２０ｐの前後方向長さより長いのが好ましい。この場合には、陰茎の取り出し時には不透液性バックシート１２を横にずらすことになる。また、両非固定部１２ｍ，１２ｎは、上下方向においては前開き部２０ｐの下端以下の部位から不透液性バックシート１２の上縁まで、幅方向においては吸収性本体１０の両端部近傍まで延在しているのが好ましい。この場合、陰茎の取り出し時には不透液性バックシート１２を下げずらすことになる。
【００４６】
かくして構成された物品では、図９、図１１及び図１２に二点鎖線で示すように、不透液性バックシート１２の非固定部分１２ｍ，１２ｎを移動させることができるため、前開き部２０ｐを開いて、不透液性バックシート１２を前開き部２０ｐ及び貫通部１７の横側や下側に退けることにより、陰茎を、吸収体１３を避けることなく吸収部１３，１４の貫通部１７を通して前開き部２０ｐに通すことができる。特に本第２の形態では、吸収部１３に陰茎用の貫通部１７が設けられているものの、吸収部１３，１４の裏面全体は不透液性バックシート１２により覆われるため、漏れのおそれもない。
【００４７】
（第３の形態）
上記各形態は、陰茎の取り出しに際して吸収性本体１０や不透液性バックシート１２の移動を伴うため、これらを元の位置に戻しておかないと尿吸収時に漏れを起すおそれがある。第３の形態はこれを防止するために、弾性部材を用いて吸収性本体１０や不透液性バックシート１２が移動後に元の位置に戻り易くしようとするものである。
【００４８】
図１４は第１の形態への本発明の適用例を示しており、吸収性本体１０の非固定部分１０ｎと、外装シート２０とが弾性部材３０を介して連結されているものである。よって、吸収性本体１０の移動により弾性部材３０が伸張され、その収縮力が吸収性本体１０の非固定部分を元の位置に戻す方向に作用するため、前開き部２０ｐを閉じる際、自動的に又は手動であっても弱い力で、吸収性本体１０を元の位置に戻すことができる。弾性部材３０としては、糸ゴム、ゴムシート等の他、伸縮性不織布等を用いることができる。弾性部材３０は伸張状態（つまりある程度張力がかかった状態）で連結されているのが好ましいが、伸張も収縮もしていない自然状態で連結されていても良い。図示形態の場合、吸収性本体１０の非固定部分１０ｎにおける上端の左右両角部と、その近傍の外装シート２０とが弾性部材３０により連結されているが、他の形態を採用することもできる。
【００４９】
図１５は第２の形態への本発明の適用例を示しており、不透液性バックシートの非固定部分１２ｍ，１２ｎと、外装シート２０（吸収部１３，１４や透液性トップシート１５でも良い）が弾性部材３０を介して連結されているものである。図示形態の場合、吸収性本体１０の非固定部分１０ｎにおける左端の上下両角部と、その近傍の外装シート２０とが弾性部材３０により連結されているが、他の形態を採用することもできる。
【００５０】
図１６は、他の原理を第１の形態へ適用した参考例を示しており、吸収性本体１０の非固定部分１０ｎにおける吸収性本体１０の周縁（上縁）に沿って弾性部材３１が固定されているものである。この場合においても、吸収性本体１０の移動により弾性部材３０が伸張され、その収縮力が吸収性本体１０の非固定部分を元の位置に戻す方向に作用するため、前開き部２０ｐを閉じる際、自動的に又は手動であっても弱い力で、吸収性本体１０を元の位置に戻すことができる。
【００５１】
同様の原理は第２の形態へも適用できる。すなわち、図１７に示す参考例のように、不透液性バックシート１２の非固定部分１２ｎにおける不透液性バックシート１２の周縁に沿って弾性部材３１を固定することにより、不透液性バックシート１２の移動により弾性部材３０が伸張され、その収縮力が不透液性バックシート１２の非固定部分１２ｎを元の位置に戻す方向に作用するため、前開き部２０ｐを閉じる際、自動的に又は手動であっても弱い力で、不透液性バックシート１２を元の位置に戻すことができる。
【００５２】
また、同様の原理は、図示の第１及び第２の形態のように、移動部分（吸収性本体１０又は不透液性バックシート１２）の幅方向両端部にバリヤーカフスＢＳが一体化されるとともに、バリヤーカフスＢＳに前後方向に沿う弾性部材１６が設けられている場合において、移動方向が横向きの場合には、この弾性部材１６によって同様の復元機能を持たせることができる（参考例）。
【００５３】
（第４の形態）
上記各形態は、吸収性本体１０や不透液性バックシート１２が移動可能であるため、これらが不用意に移動すると尿吸収時に横漏れや前漏れを起すおそれがある。第４の形態はこれを防止するために、吸収性本体１０や不透液性バックシート１２の非固定部分を着脱自在に固定したものである。
【００５４】
図１８は第１の形態への適用例を示しており、吸収性本体１０の非固定部分１０ｎと、外装シート２０とが、メカニカルファスナー（面ファスナー）や粘着テープ等の連結手段３２を介して着脱可能に連結されているものである。前開き部２０ｐを使用して陰茎を取り出す際には、連結手段３２を取り外して吸収性本体１０の非固定部分１０ｎを移動させることができ、陰茎を収納する際には吸収性本体１０の非固定部分１０ｎを元の位置に戻し、連結手段３２を介して外装シート２０と再び連結することができる。
【００５５】
メカニカルファスナーを用いる場合、連結対象のいずれか一方に、メカニカルファスナーのフックテープを設け、他方にフックテープと係合するターゲットテープを設けることができる。連結対象のいずれか一方又は両方がフックテープと係合する不織布等で形成されている場合には、その連結対象に対してはターゲットテープを設けずにフックテープを直接係合させることも可能である。フックテープは、表面に多数の係合突起を有するものであり、この係合突起が、表面に多数のループ状繊維を有するターゲットテープや、織布、不織布の繊維に絡まることにより係合するものである。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フックテープはホットメルト接着剤等により取り付けることができる。
【００５６】
連結手段３２の位置・寸法は、非固定部分１０ｎの位置・形状や、吸収性本体１０の移動範囲を考慮して適宜定めることができる。図示形態の連結手段３２は、吸収性本体１０の非固定部分１０ｎの上縁部からその上側の外装シート２０までに跨るように配置されており、少なくとも一方に対して着脱自在となっている。
【００５７】
また、図１９は第２の形態への適用例を示しており不透液性バックシート１２の非固定部分１２ｍ，１２ｎと、外装シート２０（吸収部１３，１４や透液性トップシート１５でも良い）とが、メカニカルファスナー（面ファスナー）や粘着テープ等の連結手段３２を介して着脱可能に連結されているものである。この例においても、前開き部２０ｐを使用して陰茎を取り出す際には、連結手段３２を取り外して不透液性バックシート１２の非固定部分１２ｍ，１２ｎを移動させることができ、陰茎を収納する際には不透液性バックシート１２の非固定部分１２ｍ，１２ｎを元の位置に戻し、連結手段３２を介して外装シート２０と再び連結することができる。
【００５８】
連結手段３２の位置・寸法は、非固定部分１２ｍ，１２ｎの位置・形状や、不透液性バックシート１２の移動範囲を考慮して適宜定めることができる。図示形態の連結手段３２は、不透液性バックシート１２の非固定部分１２ｍ，１２ｎの側縁部（特に図示形態のように立体ギャザーＢＳを有する場合には、その長手方向前後端部）から近傍の外装シート２０上の部分までに跨るように配置されており、少なくとも一方に対して着脱自在となっている。
【産業上の利用可能性】
【００５９】
本発明は、パンツ型吸収性物品に適用できるものである。
【図面の簡単な説明】
【００６０】
【図１】パンツ型吸収性物品の斜視図である。
【図２】展開状態での組み立て図である。
【図３】外装シート２０の展開状態の平面図である。
【図４】吸収性本体１０の平面図である。
【図５】第１の形態を示す展開状態の平面図である。
【図６】図５のＡ−Ａ断面図である。
【図７】図５のＢ−Ｂ断面図である。
【図８】図５のＣ−Ｃ断面図である。
【図９】第２の形態のパンツ型吸収性物品の斜視図である。
【図１０】第２の形態の吸収性本体１０の平面図である。
【図１１】第２の形態を示す展開状態の平面図である。
【図１２】図１０のＤ−Ｄ断面図である。
【図１３】第２の形態の吸収性本体１０の平面図である。
【図１４】第３の形態を示す展開状態の平面図である。
【図１５】第３の形態を示す展開状態の平面図である。
【図１６】第３の形態を示す展開状態の平面図である。
【図１７】第３の形態を示す展開状態の平面図である。
【図１８】第４の形態を示す展開状態の平面図である。
【図１９】第４の形態を示す展開状態の平面図である。
【符号の説明】
【００６１】
１…吸収性物品、１０…吸収性本体、１０ｎ…非固定部、１１…透液性表面シート、１２…不透液性バックシート、１２ｍ，１２ｎ…非固定部、１３…吸収体、１４…クレープ紙、１５…ギャザー不織布、１６…糸状弾性伸縮部材、１７…貫通部、２０…外装シート、２０ｐ…前開き部、２１・２２…脇部接合縁、２４…ウエスト部弾性部材、２５…腰回り弾性部材、２６…背側湾曲弾性部材、２８…腹側湾曲弾性部材、２９…脚回りカットライン、３０，３１…弾性部材、３２…連結手段、４０…弾性伸縮シート、５０…前後漏れ防止シート、６０…外装シート折り返し部、Ｆ…腹側部分、Ｂ…背側部分。
【図１】
0005060897.tif 000002
【図２】
0005060897.tif 000003
【図３】
0005060897.tif 000004
【図４】
0005060897.tif 000005
【図５】
0005060897.tif 000006
【図６】
0005060897.tif 000007
【図７】
0005060897.tif 000008
【図８】
0005060897.tif 000009
【図９】
0005060897.tif 000010
【図１０】
0005060897.tif 000011
【図１１】
0005060897.tif 000012
【図１２】
0005060897.tif 000013
【図１３】
0005060897.tif 000014
【図１４】
0005060897.tif 000015
【図１５】
0005060897.tif 000016
【図１６】
0005060897.tif 000017
【図１７】
0005060897.tif 000018
【図１８】
0005060897.tif 000019
【図１９】
0005060897.tif 000020